(57)【要約】【課題】絶縁性能及び結露防止性能に優れていると共に、火災時にガラスが早期に脱落することがないカーテンウォールとする。【解決手段】縦枠材１及び横枠材２を室内側部材１０と押縁部材２０を有し、押縁部材２０の取付部材２０ａと室外側部材２０ｃを絶縁材２０ｂで連結し、前記絶縁材２０ｂをガラス４の室外側面４ａよりも室外側寄りとして絶縁性能及び結露防止性能が優れ、火災時に絶縁材２０ｂが早期に溶けることがなく、ガラス４が早期に脱落しないようにする。【選択図】図２
2015030969.tif 000002
【特許請求の範囲】
【請求項１】
縦枠材と横枠材よりなる枠にガラスを装着したカーテンウォールであって、
前記縦枠材及び横枠材は、金属の室内側部材と金属の押縁部材を備え、
前記押縁部材は、室内側部材に連結して取り付けられる取付部材と、この取付部材の室外側に、熱橋を防ぐことを目的とした絶縁材を介しながら面外方向に連結された室外側部材を有し、
前記室外側部材と前記室内側部材とでガラスを支持するようにし、
前記絶縁材はガラスの室外側面よりも室外側寄りであることを特徴とするカーテンウォール。
【請求項２】
前記絶縁材は、自己消炎性の絶縁材である請求項１記載のカーテンウォール。
【請求項３】
前記室内側部材の室外側に係止受部を形成し、前記取付部材の室内側に係止部を形成し、
前記係止部を前記係止受部に係止して室内側部材と押縁部材を連結した請求項１又は２記載のカーテンウォール。
【請求項４】
前記係止受部は、室内側に向かう鉤形状の係止受片を有し、
前記係止部は、室外側に向かう鉤形状の係止片を有し、
前記係止片を係止受片に係止することで、前記押縁部材の室外側への動きが規制されている請求項３記載のカーテンウォール。
【請求項５】
前記絶縁材は、取付部材の室外側に設けた絶縁材取付部に、弾性により嵌まり合うように取り付けできる成形品とし、
前記室外側部材は、前記絶縁材が長手方向から挿入して嵌合する絶縁材取付空洞部を有している請求項１〜４いずれか１項記載のカーテンウォール。
【請求項６】
前記絶縁材は、前記室外側部材の絶縁材取付空洞部に嵌合するガスケットである請求項５記載のカーテンウォール。
【発明の詳細な説明】
【技術分野】
【０００１】
本発明は、熱橋を防ぐ絶縁性能を向上したカーテンウォールに関する。
【背景技術】
【０００２】
従来、縦枠材と横枠材を連結した枠にガラスを装着したカーテンウォールが種々提案されている。
例えば、特許文献１に開示したように、ガラスの室外側面を支持する押縁材の見込み片を二分割し、断熱性の硬質ポリウレタンを用いた断熱材によって連結することで、室外側部と室内側部とに渡って熱が伝わり難く、熱橋を防ぐ絶縁性能を向上したカーテンウォールが提案されている。
【先行技術文献】
【特許文献】
【０００３】
【特許文献１】特開２００４−２５０９６４号公報
【発明の概要】
【発明が解決しようとする課題】
【０００４】
前述した従来のカーテンウォールは、押縁材の見込み片を連結する断熱材は、ガラスの室内側面よりも室内側寄りであるために、室内火災時に室内の熱が断熱材に伝わり易く、断熱材が早期に溶け、押縁材でガラスの室外側面を支持できず、ガラスが早期に脱落することがある。
また、室外の熱が押縁材によりガラスの室内側面よりも室内側寄りまで伝わるので、絶縁性能が低下したり、冬季にはガラスの室内側面などが結露し易く、結露防止性能が低下する。
【０００５】
本発明は、火災時に絶縁材が早期に溶けることでガラスが早期に脱落することがなく、優れた絶縁性能及び結露防止機能を有するカーテンウォールとすることである。
【課題を解決するための手段】
【０００６】
本発明は、縦枠材と横枠材よりなる枠にガラスを装着したカーテンウォールであって、
前記縦枠材及び横枠材は、金属の室内側部材と金属の押縁部材を備え、
前記押縁部材は、室内側部材に連結して取り付けられる取付部材と、この取付部材の室外側に、熱橋を防ぐことを目的とした絶縁材を介しながら面外方向に連結された室外側部材を有し、
前記室外側部材と前記室内側部材とでガラスを支持するようにし、
前記絶縁材はガラスの室外側面よりも室外側寄りであることを特徴とするカーテンウォールである。
【０００７】
本発明のカーテンウォールは、前記絶縁材を、自己消炎性の絶縁材とすることができる。
このようにすれば、火災時に絶縁材が溶けることがなく、ガラスが脱落することがない。
【０００８】
本発明のカーテンウォールは、前記室内側部材の室外側に係止受部を形成し、前記取付部材の室内側に係止部を形成し、
前記係止部を前記係止受部に係止して室内側部材と押縁部材を連結することができる。
このようにすれば、ガラスに負荷する負圧で押縁部材が室内側部材に対して室外側に動くことがなく、耐風圧性能が優れたカーテンウォールとすることができる。
【０００９】
本発明のカーテンウォールは、前記係止受部は、室内側に向かう鉤形状の係止受片を有し、
前記係止部は、室外側に向かう鉤形状の係止片を有し、
前記係止片を係止受片に係止することで、前記押縁部材の室外側への動きが規制されているようにすることができる。
このようにすれば、係止片を係止受片に係止することで押縁部材を室内側部材に連結でき、その作業が容易である。
【００１０】
本発明のカーテンウォールは、前記絶縁材は、取付部材の室外側に設けた絶縁材取付部に、弾性により嵌まり合うように取り付けできる成形品とし、
前記室外側部材は、前記絶縁材が長手方向から挿入して嵌合する絶縁材取付空洞部を有しているものにできる。
このようにすれば、絶縁材を取付部材に簡単に取り付けできると共に、絶縁材を室外側部材に簡単に取り付けできるから、押縁部材を簡単に組み立てできる。
【００１１】
本発明のカーテンウォールは、前記絶縁材は、前記室外側部材の絶縁材取付空洞部に嵌合するガスケットとすることができる。
【発明の効果】
【００１２】
本発明によれば、絶縁材が火災時に早期に溶けることがなく、ガラスが早期に脱落することがない。
しかも、絶縁材がガラスの室外側面よりも室外側寄りであるから、優れた絶縁性能及び結露防止機能を有するカーテンウォールである。
【図面の簡単な説明】
【００１３】
【図１】本発明の実施の形態を示すカーテンウォールの一部外観図である。
【図２】図１のＡ−Ａ拡大断面図である。
【図３】図２の係止受部と係止部の拡大図である。
【図４】図２の室外側部材取付部の拡大図である。
【図５】図１のＢ−Ｂ拡大断面図である。
【図６】図５の係止受部と係止部の拡大図である。
【図７】図５の室外側部材取付部の拡大図である。
【発明を実施するための形態】
【００１４】
図１に示すように、縦枠材１と横枠材２を連結することで枠３を上下方向及び左右方向に連続して形成し、その各枠３にガラス４をそれぞれ装着してカーテンウォールとしてある。
縦枠材１は、図２に示すように、室内側部材１０、例えば方立と、この室内側部材１０の室外側に連結した押縁部材２０とを備えている。
室内側部材１０は、見付け方向に向かう室内側面１０ａと室外側面１０ｂ、見込み方向に向かう一対の側面１０ｃで囲まれた矩形中空形状で、金属、例えばアルミ合金の長尺材である。
なお、見付け方向とは図２で左右方向に向かう方向で、見込み方向とは図２で室内外側方向に向かう方向である。
【００１５】
室内側部材１０の室外側面１０ｂの見付け方向中間に、室外側に向けて開口した凹部１１を有している。
凹部１１は、室外側面１０ｂと連続し見込み方向の室内側に向かう左右一対の側面１１ａ，１１ａと、この一対の側面１１ａ，１１ａの室内側端を連続する見付け方向に向かう底面１１ｂとで室外側に向かうほぼコ字形状である。
各側面１１ａに係止受部、例えば見込み方向に間隔を置いた一対の係止受片１２がそれぞれ一体に設けてある。
【００１６】
各係止受片１２は、図３に示すように、凹部１１の側面１１ａに見付け方向に向けて設けた基片１２ａと、基片１２ａに見込み方向の室内側に向けて設けた先端片１２ｂとで室内側に向かう鉤形状である。
図２に示すように、室内側部材１０の室外側面１０ｂには凹部１１の左右両側に一対の突片１３が室外側に向けて有している。
【００１７】
押縁部材２０は、図２に示すように、見込み方向に向かう取付部材２０ａと、この取付部材２０ａの室外側に熱橋を防ぐことを目的とした絶縁材２０ｂで連結した室外側部材２０ｃとで断面略Ｔ字形状で、金属、例えばアルミ合金の長尺材である。
取付部材２０ａは、見込み方向に向かう板状の本体２１を有し、本体２１の室内側に、室内側部材１０の係止受部に見込み方向の室外側に動くことがないように係止する係止部、例えば見込み方向に間隔を置いた一対の係止片２２が一体に設けてある。
各係止片２２は、図３に示すように、本体２１に見付け方向に向けて設けた基部片２２ａと、この基部片２２ａに見込み方向の室外側に向けて設けた先部片２２ｂとで室外側に向かう鉤形状である。
【００１８】
係止片２２は係止受片１２に、先部片２２ｂの室外側面が基片１２ａの室内側面に接し、基部片２２ａの室外側面が先端片１２ｂの室内側面に接して室外側及び見付け方向に動かないように係止している。
【００１９】
図２に示すように、本体２１の室外側に絶縁材取付部２３が一体に設けてある。
絶縁材取付部２３は、図４に示すように、本体２１に見付け方向左右に向けて設けた一対の取付片２３ａを備え、各取付片２３ａの見付け方向先端部が断面円弧形状としてある。
【００２０】
絶縁材２０ｂは、絶縁材の成形品、例えば、ガスケット２４である。
ガスケット２４は図４に示すように、見付け方向に向かう室内側面２４ａ、室外側面２４ｂと見込み方向に向かう左右一対の側面２４ｃで囲まれた矩形形状の長尺材で、絶縁材取付部２３に、弾性により嵌まり合う溝２５が長手方向に連続して有し、この溝２５は開口部２６で室内側面２４ａに開口し、本体２１が挿通するようにしてある。
溝２５は、一対の取付片２３ａが弾性により嵌まり合う一対の溝部２５ａを有している。
【００２１】
取付部材２０ａの絶縁材取付部２３に絶縁材２０ｂであるガスケット２４が次のようにして取り付けられる。
ガスケット２４に外力を付与して開口部２６が大きく開口し、かつ一対の溝２５ａが大きくなった形状に弾性変形し、この状態でガスケット２４の一対の溝部２５ａに絶縁材取付部２３の一対の取付片２３ａが入り込むようにしてガスケット２４を絶縁材取付部２３に取り付ける。
この状態でガスケット２４に付与した外力をなくすことで、ガスケット２４は弾性で元の形状に復元して一対の取付片２３ａと一対の溝部２５ａが嵌まり合うので、ガスケット２４は弾性により絶縁材取付部２３に嵌まり合うようにして取り付けられる。
このとき、取付片２３ａに接着剤を塗布しておくことでガスケット２４が外れ難くなる。
【００２２】
室外側部材２０ｃは、ガスケット２４が長手方向から挿入して嵌合する絶縁材取付空洞部２７と、この絶縁材取付空洞部２７の見付け方向両側に設けた一対のガラス支持部２８を有している。
絶縁材取付空洞部２７は、前記ガスケット２４が長手方向から挿入して嵌合するように長手方向に連続し、本体２１が挿通するように室内側が開口している。
つまり、絶縁材取付空洞部２７は、図４に示すように、ガスケット２４の室内側面２４ａ、室外側面２４ｂ、一対の側面２４ｃが接する室内側内面２７ａ、室外側内面２７ｂ、一対の側部内面２７ｃで囲まれた矩形状の中空形状で、室内側が開口して室内側内面２７ａが左右に不連続となり、本体２１が挿通するようにしてある。
【００２３】
取付部材２０ａと室外側部材２０ｃは次のように連結される。
室外側部材２０ｃの絶縁材取付空洞部２７の長手方向端部とガスケット２４の長手方向端部とを合致させ、室外側部材２０ｃを取付部材２０ａの長手方向に移動してガスケット２４を絶縁材取付空洞部２７に順次嵌合させることで取り付ける。
このとき、ガスケット２４に接着剤を塗布しておくことで額縁材２０ｃとガスケット２４が外れ難くなる。
【００２４】
室内側部材１０の室外側面１０ｂと押縁部材２０の室外側部材２０ｃとでガラス装着用の凹部５を形成し、その凹部５にガラス４の縦縁部を挿入すると共に、ガラス４の室外側面２ａと室外側部材２０ｃのガラス支持部２８との間及び、ガラス４の室内側面４ｂと室内側部材１０の室外側面１０ｂとの間に室外及び室内のシール材６をそれぞれ装着することで、室内側部材１０と室外側部材２０ｃとでガラス４を支持する。
【００２５】
ガラス４を支持した状態で絶縁材２０ｂ（ガスケット２４）はガラス４の室外側面４ａよりも室外側寄りである。
この実施の形態では絶縁材２０ｂは、ガラス４の室外側面４ａとガラス支持部２８との間に設けた室外のシール材６よりも室外側寄りである。
【００２６】
このように、ガスケット２４（絶縁材２０ｂ）はガラス４の室外側面４ａよりも室外側寄りであるから、室内火災時に、室内の熱がガスケット２４に伝わり難く、ガスケット２４が溶けるまでに時間がかかり、早期に溶けることがないので、ガラス４が早期に脱落することがない。
しかも、室外の熱はガラス４の室内側面４ｂ寄りに伝わり難く、絶縁性能が優れたものである。
さらに、ガラス４の室内側面４ｂ等に結露が発生し難く、結露防止機能が優れたものである。
【００２７】
横枠材２は図５に示すように、室内側部材３０、例えば無目と、この室内側部材３０の室外側に連結した押縁部材４０を備えている。
室内側部材３０は、本体３１と突出部３２を備えた金属、例えばアルミ合金の長尺材である。
本体３１は、見付け方向に向かう室内側面３１ａ、室外側面３１ｂと、見込み方向に向かう上面３１ｃ、下面３１ｄとで囲まれた矩形中空形状である。
【００２８】
突出部３２は本体３１の室外側面３１ｂに見込み方向の室外側に向けて一体に設けた板状で、その室外側に係止受部、例えば一対の係止受片３３が見込み方向に間隔を置いて有している。
係止受片３３は縦枠材１の係止受片１２と同様に図６に示すように、基片３３ａと先端片３３ｂとで見込み方向の室内側に向かう鉤形状である。
【００２９】
室内側部材３０は縦枠材１の室内側部材１０の側面１０ｃに連結してある。
例えば、ブラケット３４の一側片３４ａを縦枠材１の室内側部材１０の側面１０ｃにボルトナット３５で固着し、そのブラケット３４の他側片３４ｂを横枠材２の室内側部材３０の本体３１の室内側面３１ａに接し、ボルトナット３６で固着して取り付ける。
前記室内側部材３０の室内側面３０ｂの上下寄りに突片３７が室外側に向けて設けてある。
【００３０】
押縁部材４０は、縦枠材１の押縁部材２０と同様に、取付部材４０ａと、この取付部材４０ａに絶縁材４０ｂで連結した室外側部材４０ｃとで断面略Ｔ字形状で、金属、例えばアルミ合金の長尺材である。
取付部材４０ａは、見込み方向に向かう板状の本体４１を有し、本体４１の室内側に、室内側部材３０の係止受部に見込み方向の室外側に動くことがないように係止する係止部、例えば見込み方向に間隔を置いた一対の係止片４２が一体に設けてある。
各係止片４２は、図６に示すように、本体４１に見付け方向に向けて設けた基部片４２ａと、この基部片４２ａに見込み方向の室外側に向けて設けた先部片４２ｂとで室内側に向かう鉤形状である。
【００３１】
係止片４２は係止受片３３に、先部片４２ｂの室外側面が基片３３ａの室内側面に接し、基部片４２ａの室外側面が先端片３３ｂの室内側面に接して室外側及び見付け方向に動かないように係止する。
【００３２】
本体４１の室外側に絶縁材取付部４３が一体に設けてある。
絶縁材取付部４３は、図７に示すように、本体４１に見付け方向上下に向けて設けた一対の取付片４３ａを備え、各取付片４３ａの見付け方向先端部が断面円弧形状としてある。
【００３３】
絶縁材４０ｂは、縦枠材１の絶縁材２０ｂと同様に成形品、例えば、ガスケット４４である。
ガスケット４４は図７に示すように、見付け方向に向かう室内側面４４ａ、室外側面４４ｂと見込み方向に向かう上下一対の側面４４ｃで囲まれた矩形形状の長尺材で、絶縁材取付部４３に長手方向から挿入して取り付けられる溝４５が長手方向に連続して有し、この溝４５は開口部４６で室内側面４４ａに開口し、本体４１が挿通するようにしてある。
溝４５は、一対の取付片４３ａが長手方向から挿入する一対の溝部４５ａを有している。
【００３４】
取付部材４０ａの絶縁材取付部４３に絶縁材４０ｂであるガスケット４４が前述の縦枠材１と同様にして取り付けられる。
【００３５】
室外側部材４０ｃは、縦枠材１の室外側部材２０ｃと同様に絶縁材取付空洞部４７と、この絶縁材取付空洞部４７の見付け方向両側に設けた一対のガラス支持部４８を有している。
絶縁材取付空洞部４７は、前記ガスケット４４が長手方向から挿入して嵌合するように長手方向に連続し、本体４１が挿通するように室内側が開口している。
つまり、絶縁材取付空洞部４７は、図７に示すように、ガスケット４４の室内側面４４ａ、室外側面４４ｂ、一対の側面４４ｃが接する室内側内面４７ａ、室外側内面４７ｂ、一対の側部内面４７ｃで囲まれた矩形状の中空形状で、室内側が開口して室内側内面４７ａが左右に不連続となり、本体４１が挿通するようにしてある。
【００３６】
取付部材４０ｃと室外側部材４０ｃは縦枠材１の取付部材２０ａと室外側部材２０ｃと同様に連結される。
【００３７】
このように、横枠材２の室内側部材３０と押縁部材４０は縦枠材１の室内側部材１０と押縁部材２０と同様に連結されて凹部７を形成し、ガラス４の室外側面４ａ、室内側面４ｂに接するシール材８を介して室内側部材３０と押縁材４０ｃでガラス４を支持している。
ガスケット４４（断熱材４０ｂ）はガラス４の室外側面４ａよりも室外側寄りである。
【００３８】
この実施の形態のカーテンウォールは次の利点を有する。
縦枠材１と横枠材２は、押縁部材２０，４０の取付部材２０ａ，４０ａと室外側部材２０ｃ，４０ｃを絶縁材２０ｂ，４０ｂで連結し、その絶縁材２０ｂ，４０ｂはガラス４の室外側面４ａよりも室外側寄りであるから、絶縁性能及び結露防止機能が向上したカーテンウォールである。
【００３９】
室内側部材１０，３０の係止受片１２，３３に押縁部材２０，４０の係止片２２，４２を見込み方向の室外側に動くことがないように係止してあるので、ガラス４に負荷する負圧で押縁部材２０，４０が室内側部材１０，３０から外れることがなく、耐風圧性能が優れたカーテンウォールである。
【００４０】
絶縁材２０ｂ，４０ｂを自己消炎火性の高いクロロプレン製のガスケット２４，４４とすれば、火災時に溶けることがなく、室内側部材１０，３０と押縁部材２０，４０を連結した状態を維持してガラス４の脱落を防止できる。
しかも、絶縁材２０ｂ，４０ｂは成形品、例えばガスケット２４，４４であるから、取付部材２０ａ，４０ａの絶縁材取付部２３，４２に簡単に短時間に取り付けできると共に、額縁材２０ｃ，４０ｃと簡単に短時間に連結でき、縦枠材１及び横枠材２を簡単に短時間に組み立てできる。
【００４１】
絶縁材２０ｂ，４０ｂは自己消炎性の高い絶縁材ではなく、通常の絶縁材の成形品でも良い。例えばＥＰＤＭの成形品とすることができる。
【符号の説明】
【００４２】
１…縦枠材、２…横枠材、３…枠、４…ガラス、１０…室内側部材、１２…係止受片（係止受部）、２０…押縁部材、２０ａ…取付部材、２０ｂ…断熱材、２０ｃ…室外側部材、２１…本体、２２…係止片（係止部）、２３…絶縁材取付部、２５…溝、２７…絶縁材取付空洞部、３０…室内側部材、３３…係止受片（係止受部）、４０…押縁部材、４０ａ…取付部材、４０ｂ…絶縁材、４０ｃ…室外側部材、４１…本体、４２…係止片（係止部）、４３…断熱材取付部、４５…溝、４７…絶縁材取付用空洞部。
【図１】
2015030969.tif 000003
【図２】
2015030969.tif 000004
【図３】
2015030969.tif 000005
【図４】
2015030969.tif 000006
【図５】
2015030969.tif 000007
【図６】
2015030969.tif 000008
【図７】
2015030969.tif 000009